(57)【特許請求の範囲】
【請求項１】
外部から内部に空気を流入させて膨張し、内部から外部に空気を流出させて収縮し、膨張時に鞄の内部に挿入して起立可能な形状を有する膨張収縮部と、
前記膨張収縮部上に設けられ、前記膨張収縮部の内部に空気を流入させ、又は、前記膨張収縮部の内部から前記空気を流出させるための空気栓部と、
を備え、
前記膨張収縮部は、
前記鞄の内部の底部上に起立するための平坦面を有する底面部と、
前記鞄の内部の形状に沿うような外形を有し、前記底面部から天井側に向って先細りとなるテーパ形状を有する本体部と、
を含む鞄形状保持装置であって、
前記底面部に設けられ、前記本体部の起立を安定させる錘部を備えることを特徴とする鞄形状保持装置。
【請求項２】
請求項１に記載の鞄形状保持装置において、
前記底面部に設けられ、前記錘部を収納するための収納部を含むことを特徴とする鞄形状保持装置。
【請求項３】
請求項１または請求項２に記載の鞄形状保持装置において、
前記本体部に設けられ、前記鞄に関する付属部品を収納するためのポケット部を含むことを特徴とする鞄形状保持装置。
【発明の詳細な説明】
【技術分野】
【０００１】
本発明は、鞄形状保持装置に関する。
【背景技術】
【０００２】
従来、百貨店などの店舗において、鞄を展示して販売されている。鞄の材質などによっては柔らかい鞄もあり、型崩れなどを起さないようにするために、紙などで構成された詰め物が挿入されている。
【０００３】
本発明に関連する技術として、例えば、特許文献１には、鞄体、バッグ体の詰め物の型くずれ防止、抗菌、防カビ、防湿において、前記詰め物は、和紙体でもって所要形状に形成し、該所要形状を前記鞄体、バック体が、同色・同柄で形成され、該鞄体、バッグ体の中の詰め物は、鞄、バッグ体と１対の型くずれ防止、抗菌、防カビ、防湿具が開示されている。
【０００４】
また、特許文献２には、旅行鞄に設けられた中敷きの一方の面に複数の袋体が取り付けられ、前記各袋体は、それぞれ空気挿入口を有し、前記旅行鞄の収納物の間の隙間に対向する前記袋体の空気挿入口に空気が注入されることを特徴とする旅行鞄用荷崩れ防止具が開示されている。
【先行技術文献】
【特許文献】
【０００５】
【特許文献１】実用新案登録第３２０９６６８号公報
【特許文献２】特開２０１７−２２１３５８号公報
【発明の概要】
【発明が解決しようとする課題】
【０００６】
紙製の詰め物などを用いると、一つの鞄に使用した後は、破れてしまうなど劣化することがあるため、他の鞄に再利用しづらいという課題がある。また、紙製の詰め物は、作業員が手作業で多数の紙を丸める必要があるため、手間がかかるという課題もある。
【０００７】
本発明の目的は、再利用することができ、かつ、簡便に鞄の形状を保持することを可能とする鞄形状保持装置を提供することである。
【課題を解決するための手段】
【０００８】
本発明に係る鞄形状保持装置は、外部から内部に空気を流入させて膨張し、内部から外部に空気を流出させて収縮し、膨張時に鞄の内部に挿入して起立可能な形状を有する膨張収縮部と、前記膨張収縮部上に設けられ、前記膨張収縮部の内部に空気を流入させ、又は、前記膨張収縮部の内部から前記空気を流出させるための空気栓部と、を備え、前記膨張収縮部は、前記鞄の内部の底部上に起立するための平坦面を有する底面部と、前記鞄の内部の形状に沿うような外形を有し、前記底面部から天井側に向って先細りとなるテーパ形状を有する本体部と、を含む鞄形状保持装置であって、前記底面部に設けられ、前記本体部の起立を安定させる錘部を備えることを特徴とする。
【００１０】
また、本発明に係る鞄形状保持装置において、前記底面部に設けられ、前記錘部を収納するための収納部を含むことが好ましい。
【００１１】
また、本発明に係る鞄形状保持装置において、前記本体部に設けられ、前記鞄に関する付属部品を収納するためのポケット部を含むことが好ましい。
【発明の効果】
【００１２】
本発明によれば、再利用することができて、簡便に鞄の形状を保持することができる。
【図面の簡単な説明】
【００１３】
【図１】本発明に係る実施形態の鞄形状保持装置を示す図である。
【図２】本発明に係る実施形態の鞄形状保持装置の第１変形例を示す図である。
【図３】本発明に係る実施形態の鞄形状保持装置の第２変形例及び第３変形例を示す図である。
【図４】本発明に係る実施形態の鞄形状保持装置の第４変形例を示す図である。
【図５】本発明に係る実施形態の鞄形状保持装置の第５変形例、第６変形例及び第７変形例を示す図である。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、本発明に係る実施形態の鞄形状保持装置１０を示す図である。図２は、本発明に係る実施形態の鞄形状保持装置１０の第１変形例の鞄形状保持装置１０ａを示す図である。
【００１６】
図３は、本発明に係る実施形態の鞄形状保持装置１０の第２変形例の鞄形状保持装置１０ｂ及び第３変形例の鞄形状保持装置１０ｃを示す図である。図４は、本発明に係る実施形態の鞄形状保持装置１０の第４変形例の鞄形状保持装置１０ｄを示す図である。
【００１７】
図５は、本発明に係る実施形態の鞄形状保持装置１０の第５変形例の鞄形状保持装置１０ｅ、第６変形例の鞄形状保持装置１０ｆ、及び、第７変形例の鞄形状保持装置１０ｇを示す図である。
【００１８】
本発明に係る実施形態の鞄形状保持装置１０は、鞄８の内部に挿入させて鞄８の形状を保持するための装置である。鞄形状保持装置１０は、膨張収縮部１２と、空気栓部１４とを備えている。
【００１９】
ここで、鞄８は、比較的柔らかい材質で構成されており、ここでは、自立しづらい構造のものであるとして説明するが、鞄形状保持装置１０は、自立する鞄であっても型崩れなど起さないように形状保持するのに適している。
【００２０】
また、鞄８は、図１（ｂ）に示されるように、肩掛けストラップ７が着脱可能な鞄であるものとして説明するが、ストラップ７ではなく、固定して取り付けられている取っ手を有する鞄であってもよい。
【００２１】
膨張収縮部１２は、空気入れ器２などを用いて注入した空気を利用して膨張し、内部から外部に空気を流出させて収縮し、膨張時に鞄８の内部に挿入して起立可能な形状を有する部材である。
【００２２】
膨張収縮部１２は、適度な柔軟性及び強度を有する材質、例えば、ウレタン、ベルベット、ポリエステルなどを用いて構成することができるが、適宜変更可能である。
【００２３】
膨張収縮部１２は、本体部１２Ａと、底面部１２Ｂとを備えている。底面部１２Ｂは、鞄８の内部の底部上に起立するための平坦面を有する。ここでは、底面部１２Ｂは、略矩形形状を有するものとして説明するが、もちろん、適宜変更可能である。
【００２４】
本体部１２Ａは、鞄８の内部の形状に沿うような外形を有し、底面部１２Ｂから天井側に向って先細りとなるテーパ形状を有する。具体的には、本体部１２Ａは、図１（ａ）の斜視図に示されるように、側面が台形形状を有する四角錘台の部材である。
【００２５】
空気栓部１４は、膨張収縮部１２上に設けられ、膨張収縮部１２の内部に空気を流入させ、又は、膨張収縮部１２の内部から空気を流出させるための栓部材である。空気栓部１４は、図１（ａ）に示されるように、本体部１２Ａの上部に取り付けられるものとして説明するが、もちろん、その他の場所に取り付けられてもよい。
【００２６】
空気栓部１４は、空気入れ器２の先端部を押し付けることで開弁して、本体部１２Ａの内部に空気を流入させ、その後、空気入れ器２を取り外すことで閉弁する逆止弁を有している。空気栓部１４は、例えば、浮き輪に空気を入れるために用いられる空気栓と同様の構造を適用することができる。
【００２７】
続いて、上記構成の鞄形状保持装置１０の作用について説明する。一般的に、百貨店などの店舗において、鞄８を展示して販売されることがある。鞄８は、柔らかい素材で構成されることがあり、自立しないものも存在する。このような鞄８を綺麗に起立させた状態で展示して販売することが好ましい。
【００２８】
上記のように起立させるために、従来、紙等を丸めた詰め物を複数形成する必要があった。これらの詰め物は、複数形成する必要があり、手作業で行われているため、時間と工数が必要であった。
【００２９】
また、紙で作った詰め物は、一度、使うと破れてしまうなど、破損することがあるため、再利用できないという課題があった。このような課題に対し、鞄形状保持装置１０は顕著な効果を発揮する。
【００３０】
収縮した鞄形状保持装置１０の空気栓部１４の空気入れ器２の先端部を突き刺し、空気栓部１４を開弁する。そして、空気入れ器２の操作部を操作して、鞄形状保持装置１０の膨張収縮部１２内に空気を入れる。これにより、図１（ａ）に示されるように、膨張収縮部１２が四角錘台の形を形成する。
【００３１】
このように、膨張収縮部１２を膨張させた状態で、図１（ｃ）に示されるように、鞄８の内部に鞄形状保持装置１０を挿入し、膨張収縮部１２の底面と、鞄８の底面とを当接させる。
【００３２】
ここで、膨張収縮部１２は、自立可能な四角錘台であるため、鞄８が柔らかい素材で形成されていた場合であっても、形を保持したまま起立させることができる。これにより、綺麗な見た目の状態で鞄８を販売することができる。
【００３３】
また、鞄８の販売を終えて、形状の保持が必要なくなった場合は、膨張収縮部１２の内部から空気を排出させて、膨張収縮部１２を収縮させて、鞄形状保持装置１０をコンパクトにすることができる。したがって、複数枚の鞄形状保持装置１０を省スペースで収納することができる。
【００３４】
さらに、一旦、収納した鞄形状保持装置１０に対し、空気入れ器２を用いて、膨張収縮部１２を膨張させて鞄８の内部に挿入して、鞄８の形状保持に使うことができるため、再利用することもできる。
【００３５】
上記のように、鞄形状保持装置１０によれば、鞄８の型崩れを防止するとともに自立困難な鞄８を起立させるだけでなく、膨張収納部１２内に入れる空気量を調整することでサイズの異なる鞄にも対応することができる。また、鞄形状保持装置１０によれば、紙やプラスチックなどの活用を減らしてエコロジーに貢献することができる。
【００３６】
また、鞄形状保持装置１０によれば、従来のように、手作業で紙を丸める必要がないため、作業時間を大幅に削減することができる。さらに、鞄形状保持装置１０によれば、膨張収納部１２は、素材は耐久性に優れたウレタン、ベルベット、ポリエステル、ＰＶＣ、紙素材などから適宜選択して使用することができ、プリントやオリジナル製品を作ることもできる。
【００３７】
鞄形状保持装置１０によれば、膨張収縮部１２の本体部１２Ａは上部に向けて先細り形状であるため、鞄８のストラップ７を取り外して、図１（Ｃ）に示されるように、鞄８内部と本体部１２Ａとの間に形成される隙間にストラップ７を収納することができる。
【００３８】
次に、本発明に係る実施形態の鞄形状保持装置１０の第１変形例の鞄形状保持装置１０ａについて説明する。鞄形状保持装置１０ａには、鞄形状保持装置１０に対して、天井側の上面部の面積が大きく、図２（ａ）に示されるように、ストラップ７などを拘束できるように、伸縮性素材で形成された結束収納バンド１３ａが設けられている。
【００３９】
また、鞄形状保持装置１０ａには、側面側に示されるように鞄８の付属部品などを収納するためのメッシュポケット１６ａを設けてもよい。
【００４０】
鞄形状保持装置１０ａを用いても、空気栓部１４ａから内部に対して空気を出し入れし、膨張収縮部１２ａを膨張又は収縮させることで、鞄８の形状を保持することができるという顕著な効果を奏する。
【００４１】
次いで、本発明に係る実施形態の鞄形状保持装置１０の第２変形例の鞄形状保持装置１０ｂについて説明する。鞄形状保持装置１０ｂは、鞄形状保持装置１０，１０ａのように四角錘台形状ではなく、側面が馬蹄形形状を有している。鞄形状保持装置１０ｂは、リュックやバックパックなどの内部形状に沿って形成することが好ましい。
【００４２】
鞄形状保持装置１０ｂを用いても、空気栓部１４ｂから内部に対して空気を出し入れし、膨張収縮部１２ｂを膨張又は収縮させることで、リュックやバックパックなどの形状を保持することができるという顕著な効果を奏する。
【００４３】
次に、本発明に係る実施形態の鞄形状保持装置１０の第３変形例の鞄形状保持装置１０ｃについて説明する。鞄形状保持装置１ｃｂは、鞄形状保持装置１０，１０ａのように四角錘台形状ではなく、側面が略三角形状を有している。略三角形状とは、等辺部が図３（ｂ）に示されるように丸みを帯びた三角形を意味する。
【００４４】
鞄形状保持装置１０ｃを用いても、空気栓部１４ｃから内部に対して空気を出し入れし、膨張収縮部１２ｃを膨張又は収縮させることで、鞄やリュックなどの形状を保持することができるという顕著な効果を奏する。
【００４５】
次いで、本発明に係る実施形態の鞄形状保持装置１０の第４変形例の鞄形状保持装置１０ｄについて説明する。鞄形状保持装置１０ｄは、鞄形状保持装置１０ｄと同様の形状を有し、底面部に錘部１８ｄが設けられている点である。
【００４６】
錘部１８ｄは、本体部１２ｄの底面部に設けられ、本体部１２ｄの起立を安定させる錘部材である。錘部１８ｄは、所定の重さを有する材質で構成されるプレート部材である。また、錘部１８ｄは、本体部１２ｄの底面部１２Ｂに設けられ、錘部１８ｄを収納するための収納部を含む。
【００４７】
鞄形状保持装置１０ｄを用いても、空気栓部１４ｄから内部に対して空気を出し入れし、膨張収縮部１２ｄを膨張又は収縮させることで、鞄やリュックなどの形状を保持することができるという顕著な効果を奏する。
【００４８】
さらに、鞄形状保持装置１０ｄによれば、底部に錘部１８ｄが設けられているため、重心が底部になるため、安定して起立させることができるという利点がある。また、図４（ｂ）に示されるように、収納時は、錘部１８ｄのプレートを中心に巻き付けることでコンパクトにすることができる。
【００４９】
次に、本発明に係る実施形態の鞄形状保持装置１０の第５変形例の鞄形状保持装置１０ｅ、第６変形例の鞄形状保持装置１０ｆ、及び、第７変形例の鞄形状保持装置１０ｇについて説明する。これらの特徴は、膨張収縮部１２ｅ，１２ｆ，１２ｇの外形が略長方形を有している点である。
【００５０】
鞄形状保持装置１０ｆ、１０ｇについては、膨張収縮部１２ｆ、１２ｇがそれぞれ２つ設けられており、面ファスナー１５ｆ，１５ｇを用いて縦方向又は横方向に連結されている。
【００５１】
このような略長方形の膨張収縮部１２ｅ，１２ｆ，１２ｇを用いることでリュックやトートバックなどに適用することができ、面ファスナー１５ｆ，１５ｇのように分離可能な構造により、仕切りのある鞄などにも片方ずつ使用することができる。また、縦型のリュックの底から半分だけ使いたい場合、ナップサック等、上方部分を縛る形状の物に使用可能である。また、鞄形状保持装置１０及び各変形例は、空気量を調整する事でサイズ調整が可能で汎用性があり、型は球体や樽型、筒状等、作成可能である。
【符号の説明】
【００５２】
２  空気入れ器、７  ストラップ、８  鞄、１０，１０ａ，１０ｂ，１０ｃ，１０ｄ,１０ｆ，１０ｇ  鞄形状保持装置、１２  膨張収縮部、１２  空気栓部、１２Ａ  本体部、１２Ｂ  底面部、１２ａ，１２ｂ，１２ｃ，１２ｄ，１２ｅ，１２ｆ，１２ｇ  膨張収縮部、１３ａ  結束収納バンド、１４，１４ａ，１４ｂ，１４ｃ，１４ｄ  空気栓部、１５ｆ，１５ｇ  面ファスナー、１６ａ  メッシュポケット、１８ｄ  錘部。
【要約】
【課題】再利用することができ、かつ、簡便に鞄の形状を保持することを可能とする鞄形状保持装置を提供することである。
【解決手段】鞄形状保持装置１０は、外部から内部に空気を流入させて膨張し、内部から外部に空気を流出させて収縮し、膨張時に鞄の内部に挿入して起立可能な形状を有する膨張収縮部１２と、膨張収縮部１２上に設けられ、膨張収縮部１２の内部に空気を流入させ、又は、膨張収縮部１２の内部から空気を流出させるための空気栓部１４と、を備え、膨張収縮部１２は、鞄８の内部の底部上に起立するための平坦面を有する底面部１２Ｂと、鞄８の内部の形状に沿うような外形を有し、底面部１２Ｂから天井側に向って先細りとなるテーパ形状を有する本体部１２Ａと、を含むことを特徴とする。
【選択図】図１【図１】
0006875771.tif 000002
【図２】
0006875771.tif 000003
【図３】
0006875771.tif 000004
【図４】
0006875771.tif 000005
【図５】
0006875771.tif 000006